(57)【要約】【課題】フィルタメッシュに挟まらない大形異物であっても確実に外部に効率よく排出できる流体管の夾雑物除去装置を提供すること。【解決手段】流体管２の一部に装着されたケース４内に流体を内側から外側に向けて流通させて夾雑物を除去するようにしたフィルタ部材６を設け、このフィルタ部材６内に流水を吸引可能な吸引ノズル４０を有する吸引管３０を、開閉弁１６を介して大気と連通するように構成され、吸引ノズル４０はフィルタ部材６内の大形異物を吸引できる開口を有し、かつフィルタ部材６の内面を螺旋動して夾雑物を吸引するように構成されている。【選択図】  図１
2004283805.tif 000002
【特許請求の範囲】
【請求項１】
流体管の一部に装着されたケース内に、流体を内側から外側に向けて流通させて夾雑物を除去するようにしたほぼ円筒形のフィルタ部材を設け、このフィルタ部材内に、流水を吸引可能な吸引ノズルを有する吸引管を、開閉弁を介して大気と連通するようにした流体管の夾雑物除去装置であって、前記吸引ノズルはフィルタ部材内の大型異物を吸引できる開口を有し、かつフィルタ部材内面側を螺旋動することを特徴とする流体管の夾雑物除去装置。
【請求項２】
前記吸引管は前記ケースと螺合し、外部からの該吸引管の回転操作により前記吸引ノズルに螺旋動を与える請求項１に記載の流体管の夾雑物除去装置。
【請求項３】
前記吸引管は前記ケース外に突設した吸引管操作棒と摺動かつ一体回転できる請求項２に記載の流体管の夾雑物除去装置。
【請求項４】
前記フィルタ部材の底面は中心に向かって凸状の傾斜面が形成され、前記吸引ノズルは、吸引管からフィルタ部材に向かって前記傾斜面とほぼ平行状態となって傾斜している請求項１ないし３の何れかに記載の流体管の夾雑物除去装置。
【請求項５】
前記吸引ノズルを吸引管に対して複数設けた請求項１ないし４の何れかに記載の流体管の夾雑物除去装置。
【発明の詳細な説明】
【０００１】
【発明の属する技術分野】
本発明は、例えば水道管等の流体管内を流れる水道水中に混入した夾雑物を除去するための夾雑物除去装置に関する。
【０００２】
【従来の技術】
水道管においては、その本管に分岐管を接続するに際し、水道本管に穿孔又は切断工事を施すと、それらの施工時に金属粉が発生したり、切断部に錆が発生するなどして、これらが水道水中に混入することがある。
【０００３】
また、古い水道管等においては、内面の防錆が十分でないこともあり、錆等が発生して水道管内に混入することもあった。
【０００４】
このような夾雑物の混入した水道水が各家庭に供給されるのを防止するために、本願の出願人は、分岐管の管路の一部を切断し、この切断部に水密的に設けたケース内に、フィルタメッシュを収容して、水道水中に混入した夾雑物を効果的に除去するとともに、フィルタメッシュ内に吸引ノルズを有する吸引本管を設け、吸引ノルズを回転させると同時に、流水を吸引ノズルより吸引管を介して大気と連通させることにより、フィルタメッシュ内面に付着した夾雑物を除去しうるようにした夾雑物除去装置を既に提案している（例えば、特許文献１参照）。
【０００５】
【特許文献１】
特開平１０−１３７５１６号公報（第３−４頁、図１）
【０００６】
【発明が解決しようとする課題】
上述した従来の夾雑物除去装置においては、フィルタメッシュ内面に付着した夾雑物はある程度除去可能であるが、フィルタメッシュに挟まらない大型異物は広範囲にわたってフィルタメッシュ内面を塞いだり、フィルタメッシュ底板上に堆積し、吸引本管底部側に設けた２個の連通口をもってしても外部に排出することができなかった。
【０００７】
本発明は、上記課題に鑑みてなされたもので、フィルタメッシュ（金網）に挟まらない大型異物であっても確実に外部に効率よく排出できる流体管の夾雑物除去装置を提供することを目的としている。
【０００８】
【課題を解決するための手段】
上記目的を達成するために、本発明の流体管の夾雑物除去装置は、流体管の一部に装着されたケース内に、流体を内側から外側に向けて流通させて夾雑物を除去するようにしたほぼ円筒形のフィルタ部材を設け、このフィルタ部材内に、流水を吸引可能な吸引ノズルを有する吸引管を、開閉弁を介して大気と連通するようにした流体管の夾雑物除去装置であって、前記吸引ノズルはフィルタ部材内の大型異物を吸引できる開口を有し、かつフィルタ部材内面を螺旋動することを特徴としている。
上記構成の本発明によれば、吸引ノズルを螺旋動させることにより、フィルタ部材内の大型異物を含めてフィルタ部材内面全域から夾雑物を吸引して効率よく排出することができる。
【０００９】
上記夾雑物除去装置において，  前記吸引管は前記ケースと螺合し、外部からの該吸引管の回転操作により前記吸引ノズルに螺旋動を与えるのが好ましい。
このようにすると、吸引管の回転操作だけで吸引ノズルに螺旋動を与えることができる。
【００１０】
上記夾雑物除去装置において，  前記吸引管は前記ケース外に突設した吸引管操作棒と摺動かつ一体回転できるのが好ましい。
このようにすると、吸引管操作棒は操作中上下動することなく吸引管を回動させることができ、しかも吸引管と吸引管操作棒を別構成とすることで、吸引管操作棒を工具等で回転しやすい構成に容易に構築できる。
【００１１】
上記夾雑物除去装置において、前記フィルタ部材の底面は中心に向かって凸状の傾斜面が形成され、前記吸引ノズルは、吸引管からフィルタ部材に向かって前記傾斜面とほぼ平行状態となって傾斜しているのが好ましい。
このようにすると、フィルタ部材の底面に堆積する異物を吸引ノズルが吸引しやすいフィルタ部材の外周部に集めることができ、吸引ノズルも傾斜面と干渉せずに螺旋動が可能である。
【００１２】
上記夾雑物除去装置において、前記吸引ノズルを吸引管に対して複数設けるのが好ましい。
このようにすると、効率よく異物を吸引することができる。
【００１３】
【発明の実施形態】
以下、本発明の実施形態を図面に基づいて説明する。
【００１４】
図１及び図２は本発明の一実施形態を示すもので、図１は夾雑物除去装置の断面図であり、図２は図１のＡ―Ａ断面図である。
【００１５】
図１及び図２に示す符号１は夾雑物除去装置を示し、この夾雑物除去装置１は例えば河川や湖から取水した流体を流通する流体管２の所定箇所に設置されて、流体中に混在する大型異物を捕捉するために使用される。
【００１６】
この夾雑物除去装置１は、流体管２の一方の流入管２ａと他方の流出管２ｂの間に設けられており、ハウジングケース４（以下単に「ケース」という）内に設置されるフィルタ部材６と、吸引管３０及び排水管１５から構成されている。
【００１７】
ケース４は、図１に示すように上端が開口する有底の縦長円筒状に形成されて、ケース４の中間部位における対向する両側面には、流入管２ａと流出管２ｂに挿嵌する円筒状の保持筒８，１０が左右に突設している。
【００１８】
ケース４は、その保持筒８，１０の中心部位から上下に上部ハウジング４ａと下部ハウジング４ｂに分割されており、上部ハウジング４ａと下部ハウジング４ｂが分割部で接合されて一体化されており、両保持筒８，１０内に挿入された流入管２ａ及び流出管２ｂの外周は図示しないシール部材を介して液密にシールされている。
【００１９】
下部ハウジング４ｂにおける底板１２の内周には、フィルタ部材６下端の外周を芯出しするために上方が拡開するテ−パを形成した一対のガイド片１４ａ，１４ｂが対向位置に取付けられ、その底板１２の中央には排水管１５が内部に挿通突出した状態で溶接接合されており、外部に延出した排水管１５には開閉弁１６が設けられている。
【００２０】
また、フィルタ部材６は、円筒状に形成されたステンレススチール製の金網（フィルタメッシュ）１８と、上端に設けられ円板状の蓋体２０と、下端に設けられた円板状の底板２２により夾雑物を捕獲するためのかご体として構成されている。
【００２１】
そして、フィルタ部材６が底板１２上に支持され、フィルタ部材６の金網１８の片側に形成された開口６ａには、流入管２ａの端部が接合されており、フィルタ部材６の内部には、フィルタ部材６の底板２２に形成した中心に向かって凸状の傾斜面を有する円錐体２４を挿通した排水管１５の上端部が突出している。
【００２２】
上部ハウジング４ａの上端開口を閉塞する上蓋２６の中央部に設けたスリーブ２８の内面には雌ねじが形成され、この雌ねじに螺挿した吸引管３０はフィルタ部材６上端の蓋体２０より挿通し、その下端は排水管１５内部に摺動可能に嵌合している。
【００２３】
更に、この吸引管３０の下方には、下方に螺進した吸引管３０の下降端を位置決めするために排水管１５の上端と当接する段付き部３０ａが下方外周に形成されると共に、段付き部３０ａの直上側面には吸引管３０の内部空間に連通する吸引ノズル４０が円錐体２４の傾斜面と平行に斜めに傾斜した状態で接続されている。
【００２４】
この吸引ノズル４０は、フィルタ部材６の円筒状金網１８の内周面に対し先端が近接する位置まで延設されており、その先端および下方側面には吸引口４０ａ４０ｂが形成されている。
【００２５】
また、蓋体２０より外部上方に挿通した吸引管３０の上端には、上端に断面角形の操作部３２ａを設けた断面円形の吸引管操作棒３２が固設されており、この吸引管操作棒３２の外周は、上蓋２６上面に液密に取付けられた補助ハウジング３４上端におけるスリーブ３５内のシール部材３６によりシールされている。
【００２６】
そして、補助ハウジング３４は、吸引管３０外周に螺設された雄ねじと螺合するスリーブ２８の雌ねじの隙間から漏洩した流体を排出する排水栓３８が下方側面に設けられている。
【００２７】
吸引管操作棒３２の上端には、段付き部３２ｂが形成されており、吸引管操作棒３２が上昇移動した際に段付き部３２ｂとスリーブ３５の下端との当接により、吸引管操作棒３２の上昇端が位置決めできるようになっている。
【００２８】
ケース４内部に収容されたフィルタ部材６は、下降時にその底面周囲が一対のガイド片１４ａ，１４ｂにより案内されてケース４内部の中央に芯出位置決めされると同時に図示しない係合片に回転不能に係合し、ケース４の開口を蓋体２６により閉塞した際に蓋体２０上面が、スリーブ２８の下端により押圧されることで上下動が拘束されている。
【００２９】
次に、上記のように構成された夾雑物除去装置の作用に付き図１及び図２を参照して以下説明する。
【００３０】
先ず、図１に示すように、例えば河川や湖の流体を飲料水として使用する目的で、河川や湖から直接取水された流体は、消毒処理し浄水化するために流体管２内に吸引されて貯留槽内に移送される。
【００３１】
流体管２内に吸引された異物を含む流体は、移送される過程で流体管２の途中に設けられた夾雑物除去装置１に取り込まれる。ここでは、一方の流入管２ａから円筒状のフィルタ部材６内に流入した流体が、フィルタ部材６の金網１８を通してケース４の内部に流出し、その後流出管２ｂ内に導出される。
【００３２】
フィルタ部材６内に流入した流体が金網１８を通過する際に、流体中に混入されている夾雑物として金属粉、錆ないし土砂はフィルタ部材６の金網１８内周面により捕捉されるが、木の葉や魚介類の一部などの大型異物や比重の重い異物からなる大型異物４２は沈殿して底板１２上の円錐体２４上面に到達する。
【００３３】
円錐体２４の上面に到達した大型異物４２は、この傾斜面上を滑降して円錐体２４外周とフィルタ部材６の金網１８内周との間に形成された底板１２上の環状間隙に徐々に堆積する。
【００３４】
フィルタ部材６の金網１８内周面に捕捉された微細な夾雑物や、底板１２上の環状間隙に堆積した大型異物４２が次第に増加して、夾雑物除去装置１内を流れる流体の抵抗が大きくなった際にフィルタ部材６内部の清掃が行われる。
【００３５】
そこで、フィルタ部材６の清掃に際し、先ず開閉弁１６を開放することで、ケース４の内圧と外部に延出した排水管１５の大気圧との差圧により、堆積した大型異物４２が流体と共に吸引ノズル４０の先端吸引口４０ａおよび下方側面吸引口４０ｂより吸引され、排水管１５を通して外部に排出される。
【００３６】
次に、夾雑物除去装置１上端の操作部３２ａに図示しないクランクハンドルを差込み、吸引管操作棒３２と一体化した吸引管３０を人力により所定方向に回転させることで、吸引ノズル４０は、ケース４内に移動不能に設置されたフィルタ部材６の円筒状金網１８内周面に対し、その先端が一定の間隔を保った状態で螺旋動しながら蓋体２０下面近傍まで上昇し、その後の吸引管操作棒３２の逆回転により下降移動する過程で、フィルタ部材６の金網１８内周面に捕捉された比較的微細な夾雑物としての金属粉、錆ないし土砂を、吸引ノズル４０の先端吸引口４０ａより吸引すると共に、浮遊している大型異物４２を排水管１５を通して外部に排出させる。
【００３７】
従って、上記のように構成された夾雑物除去装置によれば、円筒状金網１８内周面に沿って円弧状に形成した吸引ノズル４０の先端吸引口４０ａ（図２参照）が螺旋動することにより、金網１８で捕捉できない大型異物でもフィルタ部材６の内面全域から吸引して効率よく排出することができる。
【００３８】
また、吸引ノズル４０は、この吸引ノズル４０を連通させて接続している吸引管３０が、上蓋２６中央のスリーブ２８の雌ねじに螺合しているので、吸引管３０上端の操作部３２ａにクランクハンドルを差込み所定方向に回転させるだけで吸引ノズル４０に螺旋動を与えることができる。
【００３９】
更に、フィルタ部材６内部の底板２２上には中心に向かって凸状の傾斜面を形成した円錐体２４が支持されており、吸引ノズル４０は、吸引管３０に連通するように円筒状金網１８の内周面に向けて円錐体２４の傾斜面とほぼ平行状態となって傾斜して接続されているので、フィルタ部材６の底板２２に堆積する異物を吸引ノズル４０が吸引し易い吸引ノズル先端側に集めることができ、また円錐体２４の傾斜面と干渉せずに吸引ノズル４０が螺旋動できる。
【００４０】
次に、夾雑物除去装置の他の実施形態に付き図３を参照して説明する。図３は本発明の他の実施形態を示す夾雑物除去装置の断面図である。尚、上記実施形態の構成部分と同一構成部分は同一符号を付し重複する説明を省略する。
【００４１】
本実施形態に係る夾雑物除去装置は符号１１として説明するが、この夾雑物除去装置１１は、上記実施形態における吸引管３０と吸引管操作棒３２を相対的に上下移動可能に構成した点で相違している。
【００４２】
この夾雑物除去装置１１は、フィルタ部材６の底板２２を挿通した排水管１５に下端が挿通保持されて、フィルタ部材６の中心部を上下に挿通した吸引管３０’の上端が、上蓋２６中央のスリーブ２８の雌ねじに螺合している。
【００４３】
吸引管３０’の開口する上端側の内周面には、対向面に軸方向に延びる一対のキーＫ１，Ｋ２が装着され、この吸引管３０’の内部には上端の開口側から吸引管操作棒３２’が挿入されている。
【００４４】
吸引管操作棒３２’外周面の相反する対向位置には、軸方向に向けて一対のキー溝Ｇ１，Ｇ２が形成され、吸引管３０’に装着したキーＫ１，Ｋ２は、吸引管操作棒３２’のキー溝Ｇ１，Ｇ２に摺動可能に挿嵌されている。
【００４５】
吸引管操作棒３２’の上端には、断面角形の操作部３２’ａないしその下部に係合段部３２’ｂが形成され、この係合段部３２’ｂは、上蓋２６上面に液密に取付けられた補助ハウジング３４’上端における半割り接合構造のフランジ状閉塞部材３５’のシール部材３６’によりシールされている。
【００４６】
そして、補助ハウジング３４’は、吸引管３０’の外周に螺設された雄ねじと螺合するスリーブ２８の雌ねじとの隙間から漏洩した流体を排出する排水栓３８が下方側面に設けられている。
【００４７】
一方、吸引管３０’の吸引ノズル４０の接続口と反対側に形成された接続口には、水平状の吸引ノズル４４が接合されており、上下側面にはそれぞれ複数の吸引口４４ａが形成されており、この水平状吸引ノズル４４先端の吸引口は、一方の吸引ノズル４０と同様にフィルタ部材６の円筒状金網１８の内周面に対し先端が近接する位置まで延設されている。
【００４８】
従って、上記のように構成された本実施形態の夾雑物除去装置１１によれば、上記実施形態と同じ作用が得られるのでその説明は省略するが、一方の吸引ノズル４０に加え、水平状の吸引ノズル４４が設けられているので、吸引管３０’が上昇端まで上昇した際には、フィルタ部材６の円筒状金網１８の内周面上端部位に捕捉されている夾雑物をも吸引することができるだけでなく、吸引ノズル４４上下の複数の吸引口４４ａからも流体中に浮遊する各種異物を吸引することができる。
【００４９】
また、吸引管３０’は、吸引管操作棒３２’と摺動かつ一体回転することができるので、吸引管操作棒３２’は操作中上下動することなく吸引管３０’を回動させることができ、しかも吸引管３０’と吸引管操作棒３２’を別構成とすることで、吸引管操作棒３２’上端の操作部３２’ａを工具等で回転しやすい構成に容易に構築できる。
【００５０】
以上、本発明の実施形態を図面により説明してきたが、具体的な構成はこれら実施例に限られるものではなく、例えば、フィルタ部材を横置きにして左右方向に螺旋動させても良い。
【００５１】
【発明の効果】
本発明によれば、次のような効果が得られる。
【００５２】
（ａ）請求項１に記載の発明によれば、吸引ノズルを螺旋動させることにより、フィルタ部材内の大型異物を含めてフィルタ部材内面全域から夾雑物を吸引して効率よく排出することができる。
【００５３】
（ｂ）請求項２に記載の発明によれば、吸引管の回転操作だけで吸引ノズルに螺旋動を与えることができる。
【００５４】
（ｃ）請求項３に記載の発明によれば、吸引管操作棒は操作中上下動することなく吸引管を回動させることができ、しかも吸引管と吸引管操作棒を別構成とすることで、吸引管操作棒を工具等で回転しやすい構成に容易に構築できる。
【００５５】
（ｄ）請求項４に記載の発明によれば、フィルタ部材の底面に堆積する異物を吸引ノズルが吸引しやすいフィルタ部材の外周部に集めることができ、吸引ノズルも傾斜面と干渉せずに螺旋動が可能である。
【００５６】
（ｅ）請求項５に記載の発明によれば、効率よく異物を吸引することができる。
【図面の簡単な説明】
【図１】本発明の一実施形態を示すもので、夾雑物除去装置の断面図でである。
【図２】図１のＡ−Ａ断面図である。
【図３】本発明の他の実施形態を示す夾雑物除去装置の断面図である。
【符号の説明】
１                  夾雑物除去装置
２                  流体管
２ａ                流入管
２ｂ                流出管
４                  ケース
４ａ                上部ハウジング
４ｂ                下部ハウジング
６                  フィルタ部材
６ａ                開口
８，１０            保持筒
１１                夾雑物除去装置
１２                底板
１４ａ，１４ｂ      ガイド片
１５                吸引管
１６                開閉弁
１８                金網
２０                蓋体
２２                底板
２４                円錐体
２６                上蓋
２８                スリーブ
３０，３０’        吸引管
３０ａ，３０’ａ    段付き部
３２，３２’        吸引管操作棒
３２ｂ              段付き部
３２’ｂ            係合段部
３２ａ，３２’ａ    操作部
３４                補助ハウジング
３５                スリーブ
３５’              閉塞部材
３６                シール部材
３８                排水栓
４０                吸引ノズル
４０ａ              先端吸引口
４０ｂ              下方側面吸引口
４２                大型異物
４４                吸引ノズル
４４ａ              吸引口
４４                水平状吸引ノズル
Ｇ１，Ｇ２          キー溝
Ｋ１，Ｋ２          キー
【図１】
2004283805.tif 000003
【図２】
2004283805.tif 000004
【図３】
2004283805.tif 000005